(57)【要約】  【課題】省スペース化と表示手段の大型化とを兼ね備え、かつ操作性のよい撮像装置を提供する。  【解決手段】カメラボディ１０背面及び上面にわたって連続的にフレキシブルディスプレイ１１及びフレキシブルタッチパネル１２が配設されている。フレキシブルディスプレイ１１のカメラボディ１０の背面と上面とのコーナー部に形成されたＲ形状の位置にレリーズボタン２１を表示し、フレキシブルタッチパネル１２からの信号に基づいてレリーズボタン２１の操作を検知する。所定の閾値以上の押圧でレリーズボタン２１が押す操作が行われた場合にはレリーズ動作を行い、所定の閾値未満の押圧でレリーズボタン２１が上下又は左右に移動させる操作が行われた場合には、その操作方向に応じたズーム位置の調整を行う。【選択図】  図９
2010035107.tif 000002
【特許請求の範囲】
【請求項１】
撮像装置の上面及び背面にわたって連続的に配設された１枚のタッチパネル付きフレキシブルディスプレイと、
前記フレキシブルディスプレイの前記撮像装置の上面から背面に跨がった表示領域に、前記撮像装置の操作ボタンを表示させる表示制御手段と、
前記タッチパネルから入力する信号に基づいて前記操作ボタンが操作されたか否かを検知する検知手段と、
前記検知手段により前記操作ボタンの操作が検知されると、前記操作ボタンに割り当てられた所定の動作を行わせる制御手段と、
を備えたことを特徴とする撮像装置。
【請求項２】
前記撮像装置の上面と背面とのコーナー部は、Ｒ形状に形成されていることを特徴とする請求項１に記載の撮像装置。
【請求項３】
前記操作ボタンはシャッターボタン及びズームボタンの少なくとも一方であることを特徴とする請求項１又は２に記載の撮像装置。
【請求項４】
前記操作ボタンはズームボタンであり、
前記表示制御手段は、前記フレキシブルディスプレイに表示された操作ボタンを上下、又は左右に移動させる操作が行われると、前記操作ボタンの操作に対応して該操作ボタンの表示位置を前記撮像装置の上面と背面との間を移動させ、又は前記撮像装置の上面と背面とのコーナー部に沿って移動させ、
前記制御手段は、前記移動した前記操作ボタンの表示位置に応じたズーム動作を行わせることを特徴とする請求項３に記載の撮像装置。
【請求項５】
前記タッチパネルは押圧力を検出する機能を有し、
前記操作ボタンはズームボタンを兼ねたシャッターボタンであり、
前記制御手段は、前記操作ボタンへの押圧力が所定の閾値以上の場合には、シャッタレリーズ動作を行わせることを特徴とする請求項４に記載の撮像装置。
【請求項６】
右手で前記撮像装置を把持するときに右手が接触する右手用検知領域と、左手で前記撮像装置を把持するときに左手が接触する左手用検知領域とが前記タッチパネル付きフレキシブルディスプレイに設定された撮像装置であって、
前記検知手段は、前記タッチパネルから入力する信号に基づいて前記右手用検知領域又は前記左手用検知領域への接触がされたか否かを検知し、
前記表示制御手段は、前記右手用検知領域又は前記左手用検知領域のうちの前記検知手段により接触が検知された検知領域に対応する手に応じた表示制御を行う
ことを特徴とする請求項１から５のいずれかに記載の撮像装置。
【請求項７】
前記表示制御手段は、前記右手用検知領域又は前記左手用検知領域のうちの前記検知手段により接触が検知された検知領域に前記操作ボタンを表示させる
ことを特徴とする請求項６のいずれかに記載の撮像装置。
【請求項８】
被写体像を撮像する撮像手段を備え、
前記表示制御手段は、前記右手用検知領域又は前記左手用検知領域のうちの前記検知手段により接触が検知された検知領域以外の表示領域に前記被写体像を表示させる
ことを特徴とする請求項６又は７に記載の撮像装置。
【請求項９】
前記１枚のタッチパネル付きのフレキシブルディスプレイは、透明になるように構成されるとともに、前記撮像装置の正面、上面及び背面にわたって連続的に配設され、
前記表示制御手段は、撮影時に撮影光学系を含む光学部材の窓領域に対応する表示領域が透明になるように前記フレキシブルディスプレイを制御することを特徴とする請求項１から８のいずれかに記載の撮像装置。
【請求項１０】
撮影者が該撮影者自身を撮影する場合に、前記撮像装置を把持する手が接触する自分撮り検知領域が前記タッチパネル付きフレキシブルディスプレイに設定された撮像装置であって、
前記検知手段は、前記タッチパネルから入力する信号に基づいて前記自分撮り検知領域への接触がされたか否かを検知し、
前記表示制御手段は、前記検知手段より前記自分撮り検知領域への接触が検知された場合には、前記撮像装置の正面に前記被写体像を表示する
ことを特徴とする請求項９に記載の撮像装置。
【請求項１１】
前記表示制御手段は、前記検知手段より前記自分撮り検知領域への接触が検知された場合には、前記自分撮り検知領域に前記操作ボタンを表示する
ことを特徴とする請求項９又は１０に記載の撮像装置。
【請求項１２】
前記装置本体の底面に前記撮像装置を把持する手の接触を検知するセンサを備え、
前記検知手段は、前記自分撮り検知領域及び前記センサへの接触を示す信号に基づいて、自分撮りがされているかどうかを検知する
ことを特徴とする請求項９から１１のいずれかに記載の撮像装置。
【発明の詳細な説明】
【技術分野】
【０００１】
本発明は撮像装置に係り、特に操作手段のデザインや配置がカスタマイズできる撮像装置に関する。
【背景技術】
【０００２】
近年、デジタルカメラは小型化が進んでおり、更なる小型化が要求される。これに対して、表示画像を見やすくするために、更に大型な表示手段を搭載することが望まれている。
【０００３】
デジタルカメラの小型化に対応するために、特許文献１には、画像を表示する表示手段とは別に、アイコンが表示される有機ＥＬをカメラ本体の背面側の曲面に沿って配設することで、省スペース化を図るカメラが記載されている。
【０００４】
また、大型の表示手段を搭載することに伴い、各種スイッチを設ける場所が少なくなるという問題がある。このような問題に対応するために、特許文献２には、カメラ本体の背面に設けられたモニタ及びタッチパネルの所望の位置にスイッチ類と画像を表示されるカメラであって、カメラ本体を左右いずれの手で把持されているかを検知し、カメラを把持した手の親指で操作できる位置に各種スイッチを表示させるカメラが記載されている。
【０００５】
さらに、特許文献３には、カメラ本体の正面及び背面にＬＣＤ及びタッチセンサが設けられており、正面のＬＣＤが手で覆われると自分撮りモードになり、背面のセンサを指で触れることにより撮影を行うカメラが記載されている。
【特許文献１】特開２０００−１８０９３３号公報
【特許文献２】特開２００４−３１６５１８号公報
【特許文献３】特開２００５−３０３７２８号公報
【発明の開示】
【発明が解決しようとする課題】
【０００６】
しかしながら、特許文献１に記載の技術は、有機ＥＬにはアイコンが表示されるだけであるため、操作ボタンを別途設ける必要があり、表示手段のサイズが限定されてしまうという問題があった。
【０００７】
また、特許文献２に記載の技術では、カメラを把持する手を判別するためのレリーズボタンを別途設ける必要があり、省スペース化に限界があるという問題があった。
【０００８】
また、特許文献３に記載の技術では、省スペース化は可能であるが、把持する手の位置に応じてレリーズスイッチ等のスイッチの位置を切り替えることができず、操作性が悪いという問題があった。
【０００９】
本発明はこのような事情に鑑みてなされたもので、省スペース化と表示手段の大型化とを兼ね備え、かつ操作性のよい撮像装置を提供することを目的とする。
【課題を解決するための手段】
【００１０】
請求項１に記載の撮像装置は、撮像装置の上面及び背面にわたって連続的に配設された１枚のタッチパネル付きフレキシブルディスプレイと、前記フレキシブルディスプレイの前記撮像装置の上面から背面に跨がった表示領域に、前記撮像装置の操作ボタンを表示させる表示制御手段と、前記タッチパネルから入力する信号に基づいて前記操作ボタンが操作されたか否かを検知する検知手段と、前記検知手段により前記操作ボタンの操作が検知されると、前記操作ボタンに割り当てられた所定の動作を行わせる制御手段と、を備えたことを特徴とする。
【００１１】
請求項１に記載の撮像装置によれば、撮像装置の上面及び背面にわたって１枚のタッチパネル付きフレキシブルディスプレイが連続的に配設され、上面から背面に跨がった表示領域に操作ボタンが表示される。これにより、従来では使用できなかった上面から背面に跨がった領域を表示領域及び操作領域として使用することができる。
【００１２】
請求項２に記載の撮像装置は、請求項１に記載の撮像装置において、前記撮像装置の上面と背面とのコーナー部は、Ｒ形状に形成されていることを特徴とする。これにより、平面部のみでなく、各面を連結するＲ形状の部分を操作部として用いることができ、スペースを効率的に使うことができる。
【００１３】
請求項３に記載の撮像装置は、請求項１又は２に記載の撮像装置において、前記操作ボタンはシャッターボタン及びズームボタンの少なくとも一方であることを特徴とする。これにより、スペースを効率的に使ってレリーズ動作またはズーム操作を行うことができる。
【００１４】
請求項４に記載の撮像装置は、請求項３に記載の撮像装置において、前記操作ボタンはズームボタンであり、前記表示制御手段は、前記フレキシブルディスプレイに表示された操作ボタンを上下、又は左右に移動させる操作が行われると、前記操作ボタンの操作に対応して該操作ボタンの表示位置を前記撮像装置の上面と背面との間を移動させ、又は前記撮像装置の上面と背面とのコーナー部に沿って移動させ、前記制御手段は、前記移動した前記操作ボタンの表示位置に応じたズーム動作を行わせることを特徴とする。これにより、指１本でズーミングを行うことができ、操作性を向上させることができる。
【００１５】
請求項５に記載の撮像装置は、請求項４に記載の撮像装置において、前記タッチパネルは押圧力を検出する機能を有し、前記操作ボタンはズームボタンを兼ねたシャッターボタンであり、前記制御手段は、前記操作ボタンへの押圧力が所定の閾値以上の場合には、シャッタレリーズ動作を行わせることを特徴とする。これにより、指１本でレリーズ動作とズーミングを行うことができる。
【００１６】
請求項６に記載の撮像装置は、請求項１から５のいずれかに記載の撮像装置において、右手で前記撮像装置を把持するときに右手が接触する右手用検知領域と、左手で前記撮像装置を把持するときに左手が接触する左手用検知領域とが前記タッチパネル付きフレキシブルディスプレイに設定された撮像装置であって、前記検知手段は、前記タッチパネルから入力する信号に基づいて前記右手用検知領域又は前記左手用検知領域への接触がされたか否かを検知し、前記表示制御手段は、前記右手用検知領域又は前記左手用検知領域のうちの前記検知手段により接触が検知された検知領域に対応する手に応じた表示制御を行うことを特徴とする。
【００１７】
請求項６に記載の撮像装置によれば、タッチパネル付きフレキシブルディスプレイには、右手で装置本体を把持するときに右手が接触する右手用検知領域と、左手で装置本体を把持するときに左手が接触する左手用検知領域が設定されており、接触が検知された検知領域に対応する手に応じた表示制御を行う。これにより、撮影者の持ち手に応じた表示制御を行うことができる。
【００１８】
請求項７に記載の撮像装置は、請求項６のいずれかに記載の撮像装置において、前記表示制御手段は、前記右手用検知領域又は前記左手用検知領域のうちの前記検知手段により接触が検知された検知領域に前記操作ボタンを表示させることを特徴とする。これにより、撮影者の持ち手に応じて操作ボタンの位置を切り替えることができ、更に操作性を向上させることができる。
【００１９】
請求項８に記載の撮像装置は、請求項６又は７に記載の撮像装置において、被写体像を撮像する撮像手段を備え、前記表示制御手段は、前記右手用検知領域又は前記左手用検知領域のうちの前記検知手段により接触が検知された検知領域以外の表示領域に前記被写体像を表示させることを特徴とする。これにより、被写体像が手で覆われることで画像が視認しづらくなるという不具合を防止することができる。
【００２０】
請求項９に記載の撮像装置は、請求項１から８のいずれかに記載の撮像装置において、前記１枚のタッチパネル付きのフレキシブルディスプレイは、透明になるように構成されるとともに、前記撮像装置の正面、上面及び背面にわたって連続的に配設され、前記表示制御手段は、撮影時に撮影光学系を含む光学部材の窓領域に対応する表示領域が透明になるように前記フレキシブルディスプレイを制御することを特徴とする。これにより、タッチパネル付きフレキシブルディスプレイの背面に撮影光学系やフラッシュを配設でき、省スペース化と表示手段の大型化を図ることができる。
【００２１】
請求項１０に記載の撮像装置は、請求項９に記載の撮像装置において、撮影者が該撮影者自身を撮影する場合に、前記撮像装置を把持する手が接触する自分撮り検知領域が前記タッチパネル付きフレキシブルディスプレイに設定された撮像装置であって、前記検知手段は、前記タッチパネルから入力する信号に基づいて前記自分撮り検知領域への接触がされたか否かを検知し、前記表示制御手段は、前記検知手段より前記自分撮り検知領域への接触が検知された場合には、前記撮像装置の正面に前記被写体像を表示することを特徴とする。
【００２２】
請求項１０に記載の撮像装置によれば、タッチパネル付きフレキシブルディスプレイには、撮影者が該撮影者自身を撮影する場合に撮影者が装置本体を把持する手により覆われる領域である自分撮り検知領域が設定されており、自分撮り検知領域への入力が検知された場合は、装置本体の正面に被写体像を表示させる。これにより、自分撮りの場合においても、撮影者が被写体像を確認することができる。
【００２３】
請求項１１に記載の撮像装置は、請求項９又は１０に記載の撮像装置において、前記表示制御手段は、前記検知手段より前記自分撮り検知領域への接触が検知された場合には、前記自分撮り検知領域に前記操作ボタンを表示することを特徴とする。これにより、自分撮りの場合における操作性を向上させることができる。
【００２４】
請求項１２に記載の撮像装置は、請求項９から１１のいずれかに記載の撮像装置において、前記装置本体の底面に前記撮像装置を把持する手の接触を検知するセンサを備え、前記検知手段は、前記自分撮り検知領域及び前記センサへの接触を示す信号に基づいて、自分撮りがされているかどうかを検知することを特徴とする。これにより、自分撮りの検出精度を上げることができる。
【発明の効果】
【００２５】
本発明によれば、省スペース化と表示手段の大型化とを兼ね備え、かつ操作性のよい撮像装置を提供することができる。
【発明を実施するための最良の形態】
【００２６】
以下、添付図面に従って本発明に係る撮像装置を実施するための最良の形態について詳細に説明する。
【００２７】
＜第１の実施の形態＞
図１は、デジタルカメラ１の一実施形態を示す図であり、（ａ）は背面斜視図であり、（ｂ）はデジタルカメラ１を右側面から見たときの要部透視図である。デジタルカメラ１は、レンズを通った光を撮像素子で受け、デジタル信号に変換して記憶メディアに記録するものである。
【００２８】
デジタルカメラ１のカメラボディ１０は、横長の四角い箱状に形成されており、背面と上面とはＲ形状により連結されている。
【００２９】
カメラボディ１０の背面及び上面には、背面及び上面にまたがるように、フレキシブルディスプレイ１１及びフレキシブルタッチパネル１２が設けられている。カメラボディ１０の側面には、主として、電源ボタン１３と、モード選択ボタン１４とが配設されている。
【００３０】
図示しないが、カメラボディ１０の正面には、主として、撮影レンズ、ストロボ等が配設され、カメラボディ１０の下面には、三脚ネジ穴と、開閉自在なカバーを介してバッテリー挿入部とメモリカードスロットとが配設される。このバッテリー挿入部にはバッテリーが装填され、メモリカードスロットにはメモリカードが装填される。
【００３１】
フレキシブルディスプレイ１１は、有機ＥＬや有機発光ダイオードなどの発光素子をプラスチックフィルムで挟むことにより形成されたカラー表示が可能な可撓性を有するディスプレイであり、複数の画素が２次元配置されたものである。フレキシブルディスプレイ１１は、レリーズボタン２１、ＭＥＮＵ／ＯＫボタン２２、ＤＩＳＰ／ＢＡＣＫボタン２３等の操作手段が表示されることにより、ユーザインターフェース表示パネルとして利用される。また、フレキシブルディスプレイ１１は、モニタ表示部２４が設定される。モニタ表示部２４には、撮影モード時に必要に応じてスルー画像が表示されることで、画角確認用の電子ファインダとして利用される。
【００３２】
フレキシブルタッチパネル１２は、図１に示すように、フレキシブルディスプレイ１１と略同一形状であり、フレキシブルディスプレイ１１の前面に設けられる。フレキシブルタッチパネル１２は、透明導電膜（ＩＴＯ）が片側に成膜された素材（主としてフィルムやガラス）に形成された透明導電膜間が互いに向い合うように所定の距離をもって貼り合わされたアナログ抵抗膜方式のタッチパネルであり、指やペンで押圧された場合に透明導電膜同士が接触することによって信号が入力されるものである。フレキシブルタッチパネル１２は、複数の検出ブロックが２次元配置され、それぞれの検出ブロック毎に検出が可能なものである。フレキシブルタッチパネル１２の各検出ブロックは、フレキシブルディスプレイ１１の画素と関連付けられている。このため、フレキシブルタッチパネル１２は、フレキシブルディスプレイ１１のどの画素に手が接触されたかを検出することができる。
【００３３】
電源ボタン１３は、デジタルカメラ１を起動させるものである。電源ボタン１３を押すことにより、モード選択ボタン１４により設定されたモードでデジタルカメラ１が起動する。
【００３４】
モード選択ボタン１４は、デジタルカメラ１のモードを設定するものであり、「再生モード」と「撮影モード」との切り替えを行う。また、モード選択ボタン１４は、デジタルカメラ１の撮影モードを設定する撮影モード設定手段として機能し、このモード選択ボタン１４の設定位置により、デジタルカメラ１の撮影モードが様々なモードに設定される。例えば、絞り、シャッタースピード等がデジタルカメラ１によって自動的に設定される「オート撮影モード」、動画撮影を行う「動画撮影モード」、人物撮影に適した「人物撮影モード」、動体撮影に適した「スポーツ撮影モード」、風景の撮影に適した「風景撮影モード」、夕景及び夜景の撮影に適した「夜景撮影モード」、絞りの目盛りを撮影者が設定し、シャッタースピードをデジタルカメラ１が自動的に設定する「絞り優先撮影モード」、シャッタースピードを撮影者が設定し、絞りの目盛りをデジタルカメラ１が自動的に設定する「シャッタースピード優先撮影モード」、絞り、シャッタースピード等を撮影者が設定する「マニュアル撮影モード」等である。
【００３５】
次に、操作手段について説明する。レリーズボタン２１、ＭＥＮＵ／ＯＫボタン２２、ＤＩＳＰ／ＢＡＣＫボタン２３等の操作手段は、各々のオリジナルのスイッチ画像があらかじめ登録されており、各スイッチ画像がフレキシブルディスプレイ１１の所定の位置に表示されることにより形成される。後に述べる方法により、操作手段が表示された画素に対応する検出ブロックで入力が検知された場合には、以下に示すような、各操作手段に対応する所定の動作が行われる。
【００３６】
レリーズボタン２１は、図１（ａ）に示すように、フレキシブルディスプレイ１１のデフォルトの位置（基準位置）にレリーズボタン用のスイッチ画像が表示されることにより形成される。ここで基準位置とは、レリーズボタン２１を表示させる位置としてフレキシブルディスプレイ１１に予め設定されている位置であり、カメラボディ１０の上面から背面にまたがった領域、すなわち背面と上面との間に形成されたＲ形状を中心として領域の略中央右寄りの位置である。略中央右寄りにしている理由は、右利き、すなわちデジタルカメラ１を右手で把持する撮影者が多いことによる。
【００３７】
レリーズボタン２１は、レリーズボタン用の画像が表示された画素に対応する検出ブロックに押圧が入力されることにより操作が行われ、フレキシブルタッチパネル１２で検知された押圧の強さに応じて、ズーム位置の調整を行うか、レリーズ動作を行うかが選択される。
【００３８】
すなわち、レリーズボタン２１が表示された画素に対応する検出ブロックにおいて、所定の閾値以上の押圧が検知された場合にはレリーズ動作を行い、所定の閾値未満の押圧が検知された場合にはズーム位置の調整を行う。デジタルカメラ１は、撮影モード時にズーム位置の調整（テレ側及びワイド側への操作）が行われることにより、レンズの焦点距離を変化させる。また、再生モード時にテレ側及びワイド側への操作が行われることにより、再生中の画像を拡大、縮小させる。ズーム位置の調整については、後に詳述する。
【００３９】
また、レリーズボタン２１は、上下左右４方向の指示を入力する方向指示手段として機能し、たとえば、メニュー画面でメニュー項目の選択などに使用される。
【００４０】
ＭＥＮＵ／ＯＫボタン２２は、各モードの通常画面からメニュー画面への遷移を指示するボタン（ＭＥＮＵボタン）として機能するととともに、選択内容の確定、処理の実行等を指示するボタン（ＯＫボタン）として機能する。
【００４１】
ＤＩＳＰ／ＢＡＣＫボタン２３は、フレキシブルディスプレイ１１の表示内容の切り替え指示（表示機能）に用いられるとともに、入力操作のキャンセル等の指示（戻る機能）に用いられ、デジタルカメラ１の設定状態に応じて割り当てられる機能が切り替えられる。
【００４２】
次に、デジタルカメラ１の電気的構成について説明する。図２は、デジタルカメラ１の電気的構成を示すブロック図である。
【００４３】
同図に示すように、デジタルカメラ１は、レンズ１５、絞り１６、撮像素子１７、メモリカード１８、中央処理装置（ＣＰＵ）１１０、アナログ信号処理部１１２、ＡＭＰ１１４、Ａ／Ｄ変換器１１６、ＲＡＭ１１８、メモリ１２０、画像信号処理回路１２２、圧縮・伸張処理回路１２６、ディスプレイドライバ１２８、メディアコントローラ１３０等で構成されている。
【００４４】
レンズ１５は、ズームレンズ及びフォーカスレンズを含み、ＣＰＵ１１０の指令に従って駆動される。フォーカスレンズ群は、フォーカスモータに駆動されて光軸に沿って前後方向に移動し、ズームレンズ群は、ズームモータに駆動されて光軸に沿って前後方向に移動する。
【００４５】
絞り１６は、撮像素子１７の前方に配設されており、たとえば、アイリス絞りで構成される。絞り１６は、図示しない絞りアクチュエータに駆動されて動作し、Ｆ値（絞り値）の切り換えを行う。
【００４６】
撮像素子１７は、たとえば、所定のカラーフィルタ配列のカラーＣＣＤで構成されており、レンズ１５によって結像された被写体の画像を電子的に撮像する。撮像素子１７の受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。レンズ１５によって撮像素子１７の受光面上に結像された被写体の光学像は、このフォトダイオードによって入射光量に応じた信号電荷に変換される。各フォトダイオードに蓄積された信号電荷は、ＣＰＵ１１０から与えられる駆動パルスに基づいて信号電荷に応じた電圧信号（画像信号）として撮像素子１７から順次読み出される。
【００４７】
ＣＰＵ１１０は、電源ボタン１３、モード選択ボタン１４、レリーズボタン２１などから入力される操作信号に基づき所定の制御プログラムに従ってデジタルカメラ１の全体を統括制御する。ＣＰＵ１１０はＲＯＭを内蔵し、ＲＯＭには、ＣＰＵ１１０が実行する制御プログラム及び制御に必要な各種データ等が格納されている。
【００４８】
ＣＰＵ１１０は、表示制御手段を備え、電源ボタン１３が押圧されることによりデジタルカメラ１が駆動されると、レリーズボタン２１、ＭＥＮＵ／ＯＫボタン２２、ＤＩＳＰ／ＢＡＣＫボタン２３等の操作手段やモニタ表示部２４をフレキシブルディスプレイ１１の所定の位置に表示させる。
【００４９】
ＣＰＵ１１０は、レリーズボタン２１の表示制御を行うレリーズボタン表示制御部を内蔵する。レリーズボタン表示制御部は、レリーズボタン用の画像を所望の位置に表示させる。すなわち、レリーズボタン表示制御部は、フレキシブルタッチパネル１２において押圧が検知されていない場合には、レリーズボタン２１を基準位置に表示させ、フレキシブルタッチパネル１２において押圧が検知された場合には、押圧が検知された位置に合わせてレリーズボタンを移動させる。レリーズボタンの表示制御については、後に詳述する。
【００５０】
ＣＰＵ１１０は、フレキシブルタッチパネル１２において入力が検知された検出ブロックに関係付けられているフレキシブルディスプレイ１１の画素を割り出し、当該画素に表示された操作手段に対応する所定の動作を行う。
【００５１】
ＣＰＵ１１０は、モニタ表示部２４の位置を設定するための表示エリア設定部を内蔵する。本実施の形態では、カメラボディ１０を右手で把持する場合を考えているため、モニタ表示部２４は、右手により覆われない位置、すなわちカメラボディ１０の背面の左下近傍に設定される。
【００５２】
ＣＰＵ１１０は、測距制御手段（ＡＦ手段）としても機能する。ＡＦ手段は、Ｇ信号の高周波成分のみを通過させるハイパスフィルタ、絶対値化処理部、所定のフォーカスエリア（たとえば、画面中央部）内の信号を切り出すＡＦエリア検出部及びＡＦエリア内の絶対値データを積算する積算部から構成される。
【００５３】
ＣＰＵ１１０は、露光制御手段（ＡＥ手段）としても機能する。ＡＥ手段は、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。
【００５４】
ＣＰＵ１１０は、フォーカスアクチュエータの駆動を制御することにより、レンズ１５の位置を制御してフォーカシングを行い、絞りアクチュエータの駆動を制御することにより、絞り１６の開口量（絞り値）を制御し、撮像素子１７への入射光量を制御する。また、ＣＰＵ１１０は、撮像素子１７を駆動するためのタイミング信号を出力する。
【００５５】
アナログ信号処理部は、相関２重サンプリング回路（ＣＤＳ）１１２と、画像信号を増幅して一定レベルの大きさにコントロールするためのＡＭＰ１１４と、Ａ／Ｄ変換器１１６とで構成される。
【００５６】
ＣＤＳ１１２は、撮像素子１７から出力された画像信号に対して相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）を行う。
【００５７】
ＡＭＰ１１４は、ＣＤＳ１１２により相関２重サンプリング処理された増幅画像信号を出力する。
【００５８】
Ａ／Ｄ変換器１１６は、ＡＭＰ１１４で増幅されたアナログのＲ、Ｇ、Ｂ信号をデジタルのＲ、Ｇ、Ｂ信号に変換して出力する。
【００５９】
ＲＡＭ１１８には、ユーザー設定情報等のデジタルカメラ１の動作に関する各種設定情報等が格納されている。
【００６０】
また、メモリ１２０は、ＣＰＵ１１０の演算作業用領域として利用されるとともに、画像データ等の一時記憶領域として利用される。
【００６１】
画像信号処理回路１２２は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００６２】
Ｙ／Ｃ変換処理回路１２４は、画像信号処理回路１２２からのデジタル画像データにＹＣ変換を施し、輝度信号Ｙと色差（クロマ）信号Ｂ−Ｙ、Ｒ−Ｙを生成する。
【００６３】
圧縮・伸張処理回路１２６は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００６４】
ディスプレイドライバ１２８は、ＣＰＵ１１０からの指令に従い、モニタ表示部２４への表示を制御する。すなわち、ＣＰＵ１１０からの指令に従い、圧縮・伸張処理回路１２６から入力された画像信号をモニタ表示部２４に表示するための映像信号（たとえば、ＮＴＳＣ信号やＰＡＬ信号、ＳＣＡＭ信号）に変換してモニタ表示部２４に出力する。
【００６５】
メディアコントローラ１３０は、ＣＰＵ１１０からの指令に従い、メディアスロットに装填されたメモリカード１８に対してデータの読み／書きを制御する。
【００６６】
次に、以上のように構成された本実施の形態のデジタルカメラ１の作用について説明する。
【００６７】
まず、一般的な画像の撮影、記録処理の手順について説明する。上記のように、デジタルカメラ１は、図示しない電源ボタンにより電源がＯＮされると、レリーズボタン２１などの操作手段がフレキシブルディスプレイ１１に表示され、各種操作が可能となる。そして、モード選択ボタン１４により撮影モードに設定されることにより、レンズ１５がカメラボディ１０の表面に露出され、撮影スタンバイ状態になる。
【００６８】
この撮影モードの下、レンズ１５を通過した被写体光は、絞り１６を介して撮像素子１７の受光面に結像される。レンズ１５を通過した被写体光は、撮像素子１７の受光面に設けられた各フォトダイオードによって受光され、入射光量に応じた量の信号電荷に変換される。各フォトダイオードに蓄積された信号電荷は、ＣＰＵ１１０から与えられる駆動パルスに基づいて信号電荷に応じた電圧信号（画像信号）として順次読み出され、アナログ信号処理部に加えられる。アナログ信号処理部から出力されたデジタルのＲ、Ｇ、Ｂ信号はメモリ１２０に出力される。
【００６９】
撮影画像をモニタ表示部２４に出力する場合は、メモリ１２０に出力された画像信号より画像信号処理回路１２２で輝度／色差信号が生成され、その信号がディスプレイドライバ１２８に送られる。ディスプレイドライバ１２８は、入力された輝度／色差信号を表示用の信号形式（たとえばＮＴＳＣ方式のカラー複合映像信号）に変換し、モニタ表示部２４に出力する。これにより、撮像素子１７で撮像された画像がモニタ表示部２４に表示される。
【００７０】
撮像素子１７から画像信号を定期的に取り込み、その画像信号から生成される輝度／色差信号によってメモリ１２０内の画像データを定期的に書き換え、モニタ表示部２４に出力することにより、撮像素子１７で撮像される画像がリアルタイムに表示される。撮影者は、このモニタ表示部２４にリアルタイムに表示される画像（スルー画像）を見ることにより、撮影画角を確認し、ズーム調整を行う。
【００７１】
ズーム調整について説明する。図３は、デジタルカメラ１のズーム調整の処理の流れを示すフローチャートであり、図４は、デジタルカメラ１のズーム調整を行う場合の操作について説明する図である。以下の処理は、ＣＰＵ１１０によって行われる。なお、ズーム調整が行われる前は、レリーズボタン２１は基準位置に表示されている。
【００７２】
レリーズボタン２１が表示された画素に対応する検出ブロックにおいて、所定の閾値（レリーズ圧）以上の押圧が検知されたかどうかを判断する（ステップＳ１）。
【００７３】
押圧がレリーズ圧未満であった場合（ステップＳ１でＮＯ）には、レリーズボタン２１に指が触れているかどうかを判断する（ステップＳ２）。
【００７４】
レリーズボタン２１に指が触れていない場合（ステップＳ２でＮＯ）には、レリーズボタン２１を基準位置に表示し（ステップＳ３）、再度ステップＳ１を行う。
【００７５】
レリーズボタン２１に指が触れている場合（ステップＳ２でＹＥＳ）には、指が触れている検出ブロックが基準位置よりも上側に位置するかどうか、すなわち指が触れている検出ブロックが基準位置から上面側（図４に示す上向きの矢印方向）にあるかどうかを判断する（ステップＳ４）。
【００７６】
基準位置よりも上面側に位置する検出ブロックに指が触れている場合（ステップＳ４でＹＥＳ）には、ズーム位置をテレ側に調整すると共に、現在指が触れている検出ブロックに対応する画素にレリーズボタン２１を移動させる（ステップＳ５）。その後、再度ステップＳ１を行う。
【００７７】
基準位置よりも上面側に位置する検出ブロックに指が触れていない場合（ステップＳ４でＮＯ）には、指が触れている検出ブロックが基準位置よりも下側に位置するかどうか、すなわち指が触れている検出ブロックが基準位置から背面側に向かう方向（図３に示す下向きの矢印方向）にあるかどうかを判断する（ステップＳ６）。
【００７８】
基準位置よりも下側に位置する検出ブロックに指が触れている場合（ステップＳ６でＹＥＳ）には、ズーム位置をワイド側に調整すると共に、現在指が触れている検出ブロックに対応する画素にレリーズボタン２１を移動させる（ステップＳ７）。その後、再度ステップＳ１を行う。
【００７９】
基準位置よりも下側に位置する検出ブロックに指が触れていない場合（ステップＳ６でＮＯ）には、レリーズボタン２１の操作範囲内で指の接触が行われなかった場合であるため、ズーム調整を行わず、レリーズボタン２１を基準位置に表示しなおす（ステップＳ８）。その後、再度ステップＳ１を行う。
【００８０】
押圧がレリーズ圧以上であった場合（ステップＳ１でＹＥＳ）には、以下に示すようなレリーズ動作を行なう（ステップＳ９）。
【００８１】
レリーズ圧以上の押圧が検知されると、ＣＰＵ１１０はＡＥ／ＡＦ処理を実施する。ＡＦ手段は、レンズ１５を移動させながら、複数のＡＦ検出ポイントで焦点評価値（ＡＦ評価値）を演算し、評価値が極大となるレンズ位置を合焦位置として決定する。そして、求めた合焦位置にレンズ１５を移動させる。
【００８２】
ＡＥ手段は、算出された積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従い撮像素子１７の電子シャッターと絞り１６を制御して適正な露光量を得る。同時に、検出された被写体輝度より、ストロボの発光が必要かどうかを判断する。
【００８３】
また、ＡＥ手段は、自動ホワイトバランス調整時、分割エリアごとにＲ、Ｇ、Ｂ信号の色別の平均積算値を算出し、その算出結果をＣＰＵ１１０に提供する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００８４】
その後、ＣＰＵ１１０は撮影、記録処理を開始する。すなわち、測光結果に基づき決定されたシャッター速度、絞り値で撮像素子１７を露光する。
【００８５】
撮像素子１７から出力された画像信号は、Ａ／Ｄ変換器１１６などを介してメモリ１２０に取り込まれ、画像信号処理回路１２２において輝度／色差信号に変換されたのち、メモリ１２０に格納される。
【００８６】
メモリ１２０に格納された画像データは、圧縮・伸張処理回路１２６に加えられ、所定の圧縮フォーマット（たとえばＪＰＥＧ形式）に従って圧縮された後、メモリ１２０に格納され、所定の画像記録フォーマット（たとえばＥｘｉｆ形式）の画像ファイルとされたのち、メディアコントローラ１３０を介してメモリカード１８に記録される。
【００８７】
以上のようにしてメモリカード１８に撮影された画像が記録され、それと同時にレリーズボタン２１の表示位置が基準位置に戻される。メモリカード１８に記録された画像は、モード選択ボタン１４によりデジタルカメラ１のモードを再生モードに設定することにより、モニタ表示部２４で再生表示させることができる。
【００８８】
デジタルカメラ１のモードを再生モードに設定すると、ＣＰＵ１１０は、メディアコントローラ１３０にコマンドを出力し、メモリカード１８に最後に記録された画像ファイルを読み出させる。
【００８９】
読み出された画像ファイルの圧縮画像データは、圧縮・伸張処理回路１２６に加えられ、非圧縮の輝度／色差信号に伸張されたのち、ディスプレイドライバ１２８を介してモニタ表示部２４に出力される。これにより、メモリカード１８に記録されている画像がモニタ表示部２４に再生表示される（１枚画像の再生）。
【００９０】
画像のコマ送りは、レリーズボタン２１を左右に動かす操作によって行なわれる。レリーズボタン２１を右側へ移動させると、次の画像ファイルがメモリカード１８から読み出され、モニタ表示部２４に再生表示される。また、レリーズボタン２１を左側へ移動させると、一つ前の画像ファイルがメモリカード１８から読み出され、モニタ表示部２４に再生表示される。
【００９１】
モニタ表示部２４に再生表示された画像を確認しながら、必要に応じて、メモリカード１８に記録された画像を消去することができる。画像の消去は、画像がモニタ表示部２４に再生表示された状態でＭＥＮＵ／ＯＫボタン２２が押下されることによって行われる。
【００９２】
一枚画像の再生中にＤＩＳＰ／ＢＡＣＫボタン２３を押下すると、インデックス画像回路（図示せず）で作成されたインデックス画像がディスプレイドライバ１２８を介してモニタ表示部２４に出力される（インデックス画像再生）。インデックス画像再生はマルチ再生とも呼ばれ、撮った画像を一覧として見ることができる再生方法である。これにより、モニタ表示部２４にはインデックス画像が表示される。
【００９３】
本実施の形態によれば、背面や上面などの平面のみでなく、カメラボディの背面と上面とのコーナー部に形成されたＲ形状の部分を操作部として用いることができるため、スペースを効率的に使うことができる。
【００９４】
また、本実施の形態によれば、レリーズボタンでズーミングを行うため、ズームボタンを省略することができる。これにより、省スペース化及びモニタ表示部の大型化を図ることができる。
【００９５】
また、本実施の形態によれば、指１本でレリーズ動作とズーミングを行うことができるため、操作性を向上させることができる。更に、操作に合わせてレリーズボタンの表示位置を移動させるため、撮影者の操作感を良くすることができる。
【００９６】
なお、本実施の形態では、フレキシブルタッチパネル１２の検出ブロックにレリーズ圧以上の押圧が入力された場合にはレリーズ動作を行うようにしたが、第１の閾値と第２の閾値をあらかじめ設定しておき、第１の閾値以上第２の閾値未満の押圧が検知された場合にはＳ１動作（ＡＥ、ＡＦ等） を行い、第２の閾値以上の押圧が検知された場合にはＳ２動作（撮影動作）を行なうようにしてもよい。
【００９７】
［第１の実施の形態の変形例１］
本発明に係る第１の実施の形態は、レリーズボタン２１を上下方向に移動させることによりズーム調整を行ったが、第１の実施の形態の変形例１は、レリーズボタン２１を左右方向に移動させることによりズーム調整を行うものである。
【００９８】
図５は、デジタルカメラ１ａのズーム調整の処理の流れを示すフローチャートであり、図６は、デジタルカメラ１ａのズーム調整を行う場合の操作について説明する図である。なお、第１の実施の形態と同一の部分については、同一の符号を付し、説明を省略する。
【００９９】
レリーズボタン２１が表示された画素に対応する検出ブロックにおいて、レリーズ圧以上の押圧が検知されたかどうかを判断する（ステップＳ１）。
【０１００】
押圧がレリーズ圧未満であった場合（ステップＳ１でＮＯ）には、レリーズボタン２１に指が触れているかどうかを判断する（ステップＳ２）。
【０１０１】
レリーズボタン２１に指が触れていない場合（ステップＳ２でＮＯ）には、レリーズボタン２１を基準位置に表示し（ステップＳ３）、再度ステップＳ１を行う。
【０１０２】
レリーズボタン２１に指が触れている場合（ステップＳ２でＹＥＳ）には、指が触れている検出ブロックが基準位置よりも左側（図６に示す左向きの矢印方向）に位置するかどうかを判断する（ステップＳ１１）。
【０１０３】
基準位置よりも左側に位置する検出ブロックに指が触れている場合（ステップＳ１１でＹＥＳ）には、ズーム位置をテレ側に調整すると共に、指が触れている検出ブロックに対応する画素にレリーズボタン２１を移動させる（ステップＳ５）。その後、再度ステップＳ１を行う。
【０１０４】
基準位置よりも左側に位置する検出ブロックに指が触れていない場合（ステップＳ１１でＮＯ）には、指が触れている検出ブロックが基準位置よりも右側（図６に示す右向きの矢印方向）に位置するかどうかを判断する（ステップＳ１２）。
【０１０５】
基準位置よりも右側に位置する検出ブロックに指が触れている場合（ステップＳ１２でＹＥＳ）には、ズーム位置をワイド側に調整すると共に、現在指が触れている検出ブロックに対応する画素にレリーズボタン２１を移動させる（ステップＳ７）。その後、再度ステップＳ１を行う。
【０１０６】
基準位置よりも右側に位置する検出ブロックに指が触れていない場合（ステップＳ１２でＮＯ）には、ズーム調整を行わず、レリーズボタン２１を基準位置に表示しなおす（ステップＳ８）。その後、再度ステップＳ１を行う。
【０１０７】
押圧がレリーズ圧以上であった場合（ステップＳ１でＹＥＳ）にはレリーズ動作を行なう（ステップＳ９）。
【０１０８】
［第１の実施の形態の変形例２］
本発明に係る第１の実施の形態は、レリーズボタン２１を上下方向に移動させることによりズーム調整を行ったが、第１の実施の形態の変形例２は、レリーズボタン２１を上下方向に加え、左右方向に移動させることによりズーム調整を行うものである。
【０１０９】
図７は、デジタルカメラ１ｂのズーム調整の処理の流れを示すフローチャートであり、図８は、デジタルカメラ１ｂのズーム調整を行う場合の操作について説明する図である。なお、第１の実施の形態と同一の部分については、同一の符号を付し、説明を省略する。
【０１１０】
レリーズボタン２１が表示された画素に対応する検出ブロックにおいて、レリーズ圧以上の押圧が検知されたかどうかを判断する（ステップＳ１）。
【０１１１】
押圧がレリーズ圧未満であった場合（ステップＳ１でＮＯ）には、レリーズボタン２１に指が触れているかどうかを判断する（ステップＳ２）。
【０１１２】
レリーズボタン２１に指が触れていない場合（ステップＳ２でＮＯ）には、レリーズボタン２１を基準位置に表示し（ステップＳ３）、再度ステップＳ１を行う。
【０１１３】
レリーズボタン２１に指が触れている場合（ステップＳ２でＹＥＳ）には、指が触れている検出ブロックが基準位置よりも上側又は左側（図８に示す上向き又は左向きの矢印方向）に位置するかどうかを判断する（ステップＳ１３）。
【０１１４】
基準位置よりも上側又は左側に位置する検出ブロックに指が触れている場合（ステップＳ１３でＹＥＳ）には、ズーム位置をテレ側に調整すると共に、指が触れている検出ブロックに対応する画素にレリーズボタン２１を移動させる（ステップＳ５）。その後、再度ステップＳ１を行う。
【０１１５】
基準位置よりも上側又は左側に位置する検出ブロックに指が触れていない場合（ステップＳ１３でＮＯ）には、基準位置よりも下側又は右側（図８に示す下向き又は右向きの矢印方向）に位置するかどうかを判断する（ステップＳ１４）。
【０１１６】
基準位置よりも下側又は右側に位置する検出ブロックに指が触れている場合（ステップＳ１４でＹＥＳ）には、ズーム位置をワイド側に調整すると共に、現在指が触れている検出ブロックに対応する画素にレリーズボタン２１を移動させる（ステップＳ７）。その後、再度ステップＳ１を行う。
【０１１７】
基準位置よりも下側又は右側に位置する検出ブロックに指が触れていない場合（ステップＳ１４でＮＯ）には、ズーム調整を行わず、レリーズボタン２１を基準位置に表示しなおす（ステップＳ８）。その後、再度ステップＳ１を行う。
【０１１８】
押圧がレリーズ圧以上であった場合（ステップＳ１でＹＥＳ）にはレリーズ動作を行なう（ステップＳ９）。
【０１１９】
＜第２の実施の形態＞
本発明に係る第２の実施の形態は、撮影者がカメラボディを把持する手が右手か左手かを検知し、撮影者の持ち手に合わせて操作手段などをフレキシブルディスプレイ１１に表示させるものである。
【０１２０】
図９は、デジタルカメラ２の背面斜視図である。第１の実施の形態の同一の部分については、同一の符号を付し、説明を省略する。
【０１２１】
フレキシブルタッチパネル１２には、図９に示すように、右手人差し指検知領域Ｒ１、
右手親指検知領域Ｒ２、左手人差し指検知領域Ｌ１及び左手親指検知領域Ｌ２が予め設定されている。
【０１２２】
右手人差し指検知領域Ｒ１及び右手親指検知領域Ｒ２は、撮影者がカメラボディ１０を右手で把持した時に人差し指、親指がそれぞれ接触するであろうと考えられる領域である。右手人差し指検知領域Ｒ１はカメラボディ１０の上面右側に設定され、右手親指検知領域Ｒ２はカメラボディ１０の背面右側に設定される。
【０１２３】
左手人差し指検知領域Ｌ１及び左手親指検知領域Ｌ２は、撮影者がカメラボディ１０を左手で把持した時に人差し指、親指がそれぞれ接触するであろうと考えられる領域である。左手人差し指検知領域Ｌ１はカメラボディ１０の上面左側に設定され、左手親指検知領域Ｌ２はカメラボディ１０の背面左側に設定される。
【０１２４】
電源ボタン１３が押下されることによりデジタルカメラ２が撮影モードで起動されると、まず撮影者がカメラボディ１０を右手で把持しているか、左手で把持しているかを検知し、持ち手に合わせた位置にレリーズボタン２１などの操作手段を表示させる。図１０は、持ち手検知処理の流れを示すフローチャートである。当該処理はＣＰＵ１１０によって行われる。
【０１２５】
右手でカメラボディ１０を把持した場合（右手モード）が初期設定の持ち手モードとして設定されている。ここで、右手モードとは、第１の実施の形態（図１参照）に示すように、レリーズボタン２１をカメラボディ１０の背面と上面とを連結するＲ形状の上の略中央右寄りの位置に表示させ、モニタ表示部２４をカメラボディ１０の背面の左下近傍に表示させるモードである。
【０１２６】
フレキシブルタッチパネル１２での検出を開始し（ステップＳ２０）、右手人差し指検知領域Ｒ１又は右手親指検知領域Ｒ２に指が接触したかどうかを判断する（ステップＳ２１）。つまり、ステップＳ２１では、右手人差し指検知領域Ｒ１又は右手親指検知領域Ｒ２に指が接触した場合には持ち手は右手であると判断し、左手人差し指検知領域Ｌ１又は左手親指検知領域Ｌ２に指が接触した場合には持ち手は左手であると判断する。
【０１２７】
次に、現在設定されている持ち手モードの持ち手と、接触が検知された持ち手とが同じかどうかを判断する（ステップＳ２２）。現在は右手モードに設定されているため、ステップＳ２１で持ち手が右手であると判断された場合には、現在設定されているモードの持ち手と同じ持ち手であると判断し、持ち手が左手であると判断された場合には、現在設定されているモードの持ち手と異なる持ち手であると判断する。
【０１２８】
現在設定されているモードの持ち手と同じ持ち手であると判断された場合（ステップＳ２２でＹＥＳ）には、処理を終了する。すなわち、右手モードに設定されている場合に、ステップＳ２１において持ち手が右手であると判断された場合には、レリーズボタン２１等の表示位置を変更する必要はないため、このまま処理を終了する。
【０１２９】
現在設定されているモードの持ち手と異なる持ち手であると判断された場合（ステップＳ２２でＮＯ）には、ステップＳ２１において検知された持ち手のモードに設定を変更する（ステップＳ２３）。すなわち、右手モードに設定されている場合に、ステップＳ２１において持ち手が左手であると判断された場合には、左手モードに設定を変更する。
【０１３０】
ここで、左手モードとは、図９に示すように、左手でカメラボディ１０を把持した場合、レリーズボタン２１をカメラボディ１０の背面と上面とを連結するＲ形状の上の略中央左寄りの位置に表示させ、モニタ表示部２４をカメラボディ１０の背面の右下近傍に表示させるモードである。これにより、カメラボディ１０を把持した左手の人差し指でレリーズボタン２１の操作が可能となる。また、モニタ表示部２４がカメラボディ１０を把持した左手で覆われることなく視認可能となる。
【０１３１】
最後に、ステップＳ２３で変更された持ち手モードに従った表示を行い、処理を終了する。
【０１３２】
このようにして持ち手に合わせて操作手段が表示されると、第１の実施の形態と同様の方法により画像の撮影、記録処理が可能となる。
【０１３３】
本実施の形態によれば、撮影者の持ち手に応じて操作手段の位置を切り替えることができるため、簡単な構成で、右利きの撮影者のみでなく左利きの撮影者にも快適な操作環境を提供することができる。
【０１３４】
また、本実施の形態によれば、撮影者の持ち手に応じてモニタ表示部の位置を変えるため、被写体像が手で覆われることで画像が視認しづらくなることを防止することができる。
【０１３５】
＜第３の実施の形態＞
本発明に係る第１の実施の形態は、フレキシブルディスプレイ及びフレキシブルタッチパネルをカメラボディの背面と上面とにわたって連続的に設けたものであるが、フレキシブルディスプレイ及びフレキシブルタッチパネルを他の面にも設けるようにしてもよい。
【０１３６】
本発明に係る第３の実施の形態は、フレキシブルディスプレイ及びフレキシブルタッチパネルをカメラボディの正面、上面及び背面にまたがるように設けたものである。図１１は、デジタルカメラ３の一実施形態を示す図であり、（ａ）は正面斜視図であり、（ｂ）はデジタルカメラ３を側面からみた要部透視図である。なお、第１の実施の形態と同一の部分については、同一の符号を付し、説明を省略する。
【０１３７】
デジタルカメラ３のカメラボディ３０は、横長の四角い箱状に形成されており、背面と上面とのコーナー部にはＲ形状が形成されている。また、カメラボディ３０の前面と上面とのコーナー部には、背面と上面との間のＲ形状よりも小さいＲ形状又はＣ面が形成されている。
【０１３８】
カメラボディ３０の正面には、主として、レンズ１５と、フラッシュ１９とが配設される。カメラボディ３０の側面には、電源ボタン等が配設される。カメラボディ３０の下面には、三脚ネジ穴と、開閉自在なカバーを介してバッテリー挿入部とメモリカードスロットとが配設される。このバッテリー挿入部にはバッテリーが装填され、メモリカードスロットにはメモリカードが装填される。
【０１３９】
カメラボディ３０の背面、上面及び前面にまたがるように、かつカメラボディ３０の背面、上面及び前面の全体を覆うように、フレキシブルディスプレイ１１ａ及びフレキシブルタッチパネル１２ａが設けられている。図１１（ｂ）に示すように、フレキシブルディスプレイ１１ａは、カメラボディ３０の正面に設けられたレンズ１５、フラッシュ１９などの前面に設けられ、フレキシブルタッチパネル１２ａは、フレキシブルディスプレイ１１ａの前面に設けられる。
【０１４０】
フレキシブルディスプレイ１１ａは、有機ＥＬや有機発光ダイオードなどの発光素子をプラスチックフィルムで挟むことにより形成されたカラー表示が可能な可撓性を有するディスプレイであり、複数の画素が２次元配置されたものである。
【０１４１】
フレキシブルディスプレイ１１ａには、各種操作手段、モニタ表示部が表示されることにより、ユーザインターフェース表示パネルとして利用される。カメラボディ３０の背面又は上面に位置するフレキシブルディスプレイ１１ａの画素には、第１の実施の形態と同様に、ズーム調整が可能なレリーズボタン２１が表示される。また、カメラボディ３０の正面に位置するフレキシブルディスプレイ１１ａの画素には、ＭＥＮＵ／ＯＫボタン、ＤＩＳＰ／ＢＡＣＫボタン等の操作手段２５が表示される。
【０１４２】
また、フレキシブルディスプレイ１１の所望の領域には、モニタ表示部（図示せず）が設定されている。モニタ表示部には、撮影モード時に必要に応じてスルー画像が表示されることで、画角確認用の電子ファインダとして利用される。
【０１４３】
フレキシブルタッチパネル１２ａは、フレキシブルディスプレイ１１ａと略同一形状であり、透明導電膜（ＩＴＯ）が片側に成膜された素材（主としてフィルムやガラス）に形成された透明導電膜間が互いに向い合うように所定の距離をもって貼り合わされたアナログ抵抗膜方式のタッチパネルであり、指やペンで押圧された場合に透明導電膜同士が接触することによって信号が入力されるものである。フレキシブルタッチパネル１２ａは、複数の検出ブロックが２次元配置され、それぞれの検出ブロック毎に検出が可能なものである。フレキシブルタッチパネル１２ａの各検出ブロックは、フレキシブルディスプレイ１１ａの画素と関連付けられており、フレキシブルディスプレイ１１ａの所望の画素と、フレキシブルタッチパネル１２ａの検出ブロックとの相対関係が算出できるようになっている。
【０１４４】
フレキシブルディスプレイ１１ａ及びフレキシブルタッチパネル１２ａには、レンズ１５の窓領域、すなわちレンズ１５の前面に位置し、レンズ１５の画角範囲より大きな領域である非表示領域Ａと、フラッシュ１９の窓領域、すなわちフラッシュ１９の前面に位置し、フラッシュ１９の投光範囲より大きな領域である非表示領域Ｂとが設定されている。本実施の形態では、レンズ１５、フラッシュ１９がフレキシブルディスプレイ１１ａ及びフレキシブルタッチパネル１２ａの背面に設けられている。したがって、デジタルカメラ３が撮影モードで起動された場合には、撮影が可能なように、非表示領域Ａ及び非表示領域Ｂを透明にする。当該処理については、後に詳述する。
【０１４５】
次に、デジタルカメラ３の電気的構成について説明する。図１２は、デジタルカメラ１の電気的構成を示すブロック図である。
【０１４６】
同図に示すように、デジタルカメラ３は、レンズ１５、絞り１６、撮像素子１７、メモリカード１８、フラッシュ１９、中央処理装置（ＣＰＵ）１１０、アナログ信号処理部１１２、ＡＭＰ１１４、Ａ／Ｄ変換器１１６、ＲＡＭ１１８、メモリ１２０、画像信号処理回路１２２、圧縮・伸張処理回路１２６、ディスプレイドライバ１２８、メディアコントローラ１３０等で構成されている。
【０１４７】
フラッシュ１９は、主要被写体に向けてストロボ光を照射できるように、光源としてのキセノン管と、反射傘とで構成される。
【０１４８】
ＣＰＵ１１０は、キセノン管への電流供給制御を行い、所望の発光量が所望のタイミングで得られるように制御する。
【０１４９】
次に、以上のように構成された本実施の形態のデジタルカメラ１の作用について説明する。先に述べたように、デジタルカメラ３が撮影モードで起動された場合には、まずフレキシブルディスプレイ１１ａ及びフレキシブルタッチパネル１２ａを透明にする必要がある。図１３は、撮影モードの場合にフレキシブルディスプレイ１１ａ及びフレキシブルタッチパネル１２ａを透明にする処理の流れを示すフローチャートである。当該処理はＣＰＵ１１０によって行われる。
【０１５０】
まず、初期設定のディスプレイ表示を行う、すなわちレリーズボタンをカメラボディ３０の背面と上面とを連結するＲ形状の上の略中央右寄りの位置に表示させ、モニタ表示部をカメラボディ３０の背面の左下近傍に表示させ、操作手段２５をカメラボディ３０の正面に表示させる（ステップＳ３０）。
【０１５１】
デジタルカメラ３が撮影モードで駆動されたかどうかを判断する（ステップＳ３１）。デジタルカメラ３が撮影モードで駆動されていない場合（ステップＳ３１でＮＯ）には、処理を終了する。
【０１５２】
デジタルカメラ３が撮影モードで駆動されている場合（ステップＳ３１でＹＥＳ）には、フラッシュ撮影モードかどうかを判断する（ステップＳ３２）。フラッシュ撮影モードは、スルー画像取得時などに光量が少ないと判断された場合には、ＣＰＵ１１０により自動的に設定される。また、撮影者が操作手段２５を用いて強制的にフラッシュの発光を行うことを選択した場合もフラッシュ撮影モードに設定される。
【０１５３】
フラッシュ撮影モードであると判断された場合（ステップＳ３２でＹＥＳ）には、図１１（ａ）に示すように、レンズ１５の前面に位置する非表示領域Ａ及びフラッシュ１９の前面に位置する非表示領域Ｂのフレキシブルディスプレイ１１ａの画素を非表示にし、かつ当該領域のフレキシブルディスプレイ１１ａ及びフレキシブルタッチパネル１２ａを透明にする（ステップＳ３３）。その後処理を終了する。
【０１５４】
フラッシュ撮影モードでないと判断された場合（ステップＳ３２でＮＯ）には、図１１（ａ）に示すように、レンズ１５の前面に位置する非表示領域Ａに位置するフレキシブルディスプレイ１１ａの画素を非表示にし、かつ当該領域のフレキシブルディスプレイ１１ａ及びフレキシブルタッチパネル１２ａを透明にする（ステップＳ３４）。その後処理を終了する。
【０１５５】
その後、第１の実施の形態と同様に、一般的な画像の撮影、記録処理を行なう。
【０１５６】
本実施の形態によれば、可撓性表示手段及び可撓性タッチパネルの背面に撮影光学系を配置できるため、省スペース化と表示手段の大型化を図ることができる。
【０１５７】
＜第４の実施の形態＞
本発明に係る第４の実施の形態は、フレキシブルディスプレイ及びフレキシブルタッチパネルをカメラボディの正面、上面及び背面にわたって連続的に設け、撮影者が撮影者自身を撮影（自分撮り）しているかを判断し、自分撮りの場合にはモニタ表示部をカメラボディの前面に移動するものである。
【０１５８】
図１４は、デジタルカメラ４の正面斜視図である。第３の実施の形態の同一の部分については、同一の符号を付し、説明を省略する。
【０１５９】
フレキシブルタッチパネル１２ａには、図１４に示すように、自分撮り右手用接触検知領域Ｒ及び自分撮り左手用接触検知領域Ｌが予め設定されている。
【０１６０】
自分撮り右手用接触検知領域Ｒは、撮影者がカメラボディ３０を右手で把持して自分撮りを行う時に、人差し指又は親指が接触するであろうと考えられる領域である。自分撮り右手用接触検知領域Ｒはカメラボディ３０の上面右側に位置する領域に設定される。
【０１６１】
自分撮り左手用接触検知領域Ｌは、撮影者がカメラボディ３０を左手で把持して自分撮りを行う時に人差し指、親指がそれぞれ接触するであろうと考えられる領域である。自分撮り左手用接触検知領域Ｌはカメラボディ３０の上面左側に位置する領域に設定される。
【０１６２】
また、カメラボディ１０の底面には、図示しないタッチパネルが設けられている。このタッチパネルの右端近傍には右手用接触検知領域Ｒが設定され、左端近傍には左手用接触検知領域Ｌが設定される。このタッチパネルは、検出をより正確にするために設けられたものであり、省略することも可能である。
【０１６３】
電源ボタン１３が押下されることによりデジタルカメラ４が撮影モードで起動されると、まず撮影者がカメラボディ３０を右手で把持して自分撮りをしているか、左手で把持して自分撮りをしているかを検知し、持ち手に合わせた位置にレリーズボタン２１などの操作手段を表示させる。図１５は、持ち手検知処理の流れを示すフローチャートである。当該処理はＣＰＵ１１０によって行われる。
【０１６４】
持ち手検知処理が開始される前に、第３の実施の形態に示すように、デジタルカメラ４が撮影モードで駆動されたかどうかが判断され、図１４に示すように、レンズ１５の前面に位置する非表示領域Ａのフレキシブルディスプレイ１１ａの画素を非表示にし、かつ当該領域のフレキシブルディスプレイ１１ａ及びフレキシブルタッチパネル１２ａが透明にされる。
【０１６５】
まず、初期設定のディスプレイ表示を行い（ステップＳ３０）、デジタルカメラ３が撮影モードで駆動されたかどうかを判断する（ステップＳ３１）。デジタルカメラ３が撮影モードで駆動されていない場合（ステップＳ３１でＮＯ）には、処理を終了する。
【０１６６】
デジタルカメラ３が撮影モードで駆動されている場合（ステップＳ３１でＹＥＳ）には、図１３に示すように、レンズ１５の前面に位置する非表示領域Ａに位置するフレキシブルディスプレイ１１ａの画素を非表示にし、かつ当該領域のフレキシブルディスプレイ１１ａ及びフレキシブルタッチパネル１２を透明にする（ステップＳ３４）。
【０１６７】
フレキシブルタッチパネル１２ａで検出を開始し（ステップＳ４１）、自分撮り右手用接触検知領域Ｒ又は自分撮り左手用接触検知領域Ｌに指が接触したか、すなわち自分撮りが行われているかどうかを判断する（ステップＳ４２）。自分撮りが行われていない場合（ステップＳ４２でＮＯ）のときには、処理を終了する。
【０１６８】
自分撮りが行われている場合（ステップＳ４２でＹＥＳ）には、図１４に示すように、背面に表示されているモニタ表示部４２を正面に移動させ（ステップＳ４３）、自分撮り右手用接触検知領域に指が接触したかどうかを判断する（ステップＳ４４）。
【０１６９】
自分撮り右手用接触検知領域Ｒに指が接触した場合（ステップＳ４４でＹＥＳ）、すなわち右手でカメラボディ３０を把持して自分撮りを行っている場合には、図１３に示すように、カメラボディ３０の上面の自分撮り右手用接触検知領域Ｒに対応するフレキシブルディスプレイ１１ａの画素にレリーズボタン２１を表示し（ステップＳ４５）、処理を終了する。
【０１７０】
自分撮り右手用接触検知領域Ｒに指が接触していない場合（ステップＳ４４でＮＯ）は、左手でカメラボディ３０を把持して自分撮りを行っているということであるため、カメラボディ３０の上面の自分撮り左手用接触検知領域Ｌに対応するフレキシブルディスプレイ１１ａの画素にレリーズボタン２１を表示し（ステップＳ４６）、処理を終了する。
【０１７１】
その後、第１の実施の形態と同様に、一般的な画像の撮影、記録処理を行なう。本実施の形態では、レリーズボタン２１を左右に移動させることによりズーム調整を行うようにすることが望ましい。
【０１７２】
本実施の形態によれば、自分撮りが行われているかどうかを自動的に検知し、モニタ表示部の位置を移動するため、自分撮りが行われている場合においても、撮影者が被写体像を確認しながら撮影を行うことができる。
【０１７３】
また、本実施の形態によれば、検知された持ち手に合わせて自動的にレリーズボタンの位置を調整するため、自分撮りを行う場合における操作性を向上させることができる。
【０１７４】
なお、本発明の適用は、デジタルカメラに限定されるものではなく、カメラつき携帯電話機やビデオカメラ等の撮像装置、携帯音楽プレーヤー、ＰＤＡ等の電子機器にも同様に適用することができる。
【図面の簡単な説明】
【０１７５】
【図１】第１の実施の形態に係るデジタルカメラ１を示す図であり、（ａ）は背面斜視図であり、（ｂ）は右側面から見た要部透視図である。
【図２】上記デジタルカメラ１の電気的構成を示すブロック図である。
【図３】上記デジタルカメラ１のズーム調整の一連の処理の流れを示すフローチャートである。
【図４】上記デジタルカメラ１のズーム調整の方法を示す図である。
【図５】第１の実施の形態の変形例に係るデジタルカメラ１ａのズーム調整の一連の処理の流れを示すフローチャートである。
【図６】上記デジタルカメラ１ａのズーム調整の方法を示す図である。
【図７】第１の実施の形態の変形例に係るデジタルカメラ１ｂのズーム調整の一連の処理の流れを示すフローチャートである。
【図８】上記デジタルカメラ１ｂのズーム調整の方法を示す図である。
【図９】第２の実施の形態に係るデジタルカメラ２の背面斜視図である。
【図１０】上記デジタルカメラ２の撮影前の処理の流れを示すフローチャートである。
【図１１】第３の実施の形態に係るデジタルカメラ３を示す図であり、（ａ）は正面斜視図であり、（ｂ）は右側面から見た要部透視図である。
【図１２】上記デジタルカメラ３の電気的構成を示すブロック図である。
【図１３】上記デジタルカメラ３の撮影前の処理の流れを示すフローチャートである。
【図１４】第４の実施の形態に係るデジタルカメラ４の正面斜視図である。
【図１５】上記デジタルカメラ４の撮影前の処理の流れを示すフローチャートである。
【符号の説明】
【０１７６】
１、２、３、４：デジタルカメラ、１０、３０：カメラボディ、１５：レンズ、１６：絞り、１７：撮像素子、１８：メモリカード、１９：フラッシュ、２１：レリーズボタン、２４：モニタ表示部、１１０：ＣＰＵ
【図１】
2010035107.tif 000003
【図２】
2010035107.tif 000004
【図３】
2010035107.tif 000005
【図４】
2010035107.tif 000006
【図５】
2010035107.tif 000007
【図６】
2010035107.tif 000008
【図７】
2010035107.tif 000009
【図８】
2010035107.tif 000010
【図９】
2010035107.tif 000011
【図１０】
2010035107.tif 000012
【図１１】
2010035107.tif 000013
【図１２】
2010035107.tif 000014
【図１３】
2010035107.tif 000015
【図１４】
2010035107.tif 000016
【図１５】
2010035107.tif 000017